(57)【特許請求の範囲】
【請求項１】
浴室の床面を形成する防水パンと、浴室の壁を形成する下地材、該下地材への防水を行う防水シート、および浴室の仕上げ壁となる仕上げ部材とを含む浴室壁面とを防水接続する浴室の床部防水構造であって、
前記防水パンは、該防水パンの辺縁立ち上がり部に、前記防水シートが接着される防水シート接着面と、前記仕上げ部材が当接される仕上げ部材当接面とを備え、
前記防水シート接着面は、前記仕上げ部材当接面から防水シートの厚み分室外側に位置され、
前記防水シートは、前記防水パンおよび前記下地材上にて、略平坦に連続した面を形成するように接着されることを特徴とする浴室の床部防水構造。
【請求項２】
請求項１に記載の浴室の床部防水構造において、
前記防水パンは、前記仕上げ部材当接面の下端部に、前記仕上げ部材の下端を載置可能な仕上げ部材支持部を有していることを特徴とする浴室の床部防水構造。
【請求項３】
請求項１または請求項２に記載の浴室の床部防水構造において、
前記防水パンは、前記防水シート接着面の上端部に、前記下地材の下端を載置可能な下地材支持部を有していることを特徴とする浴室の床部防水構造。
【請求項４】
請求項３に記載の浴室の床部防水構造において、
前記下地材支持部は、室外側に水平に延出して形成されていることを特徴とする浴室の床部防水構造。
【請求項５】
請求項１から請求項４のいずれかに記載の浴室の床部防水構造において、
前記下地材と前記仕上げ部材との間には、防湿シートを備え、
該防湿シートの下端部は、前記防水シートの室内側の面に接着されることを特徴とする浴室の床部防水構造。
【発明の詳細な説明】
【０００１】
【発明の属する技術分野】
本発明は、浴室の床面を形成する防水パンと、浴室の壁を形成する下地材、該下地材への防水を行う防水シート、および浴室の仕上げ壁となる仕上げ部材を含む浴室の壁面とを防水接続する浴室の床部防水構造に関する。
【０００２】
【背景技術】
従来より、住宅等の建物建設には、プレハブユニット工法が多用されている。このプレハブユニット工法は、予め工場生産された略箱型形状の建物ユニットを建設現場で配列積層することで建物を建設するものである。
プレハブ建物において浴室を設置する場合にも、ユニット化された防水パンを用いて防水性能の向上と施行の簡略化が図られている。特に、防水パンの辺縁立ち上がり部に予め防水シートを接続しておき、浴室部分に設置された際に、防水シートを壁面に接続するものが利用されている（特開２０００−１６０８５６）。
図７、８は上記公報における浴室１０の床部防水構造を示すものであって、図７は、浴室床パネル１１の縦断面図、図８は、浴室床パネル１１の分解断面図をそれぞれ示すものである。従来の浴室１０の床部防水構造について、図７および図８を参照しながら説明する。
【０００３】
この浴室１０の床部防水構造は、浴室１０の床面を形成する防水パン３０と、浴室１０の壁を形成する下地材２１、該下地材２１への水の浸入を防ぐための防水シート２２、防水シート２２と同様に防水性を担保するバスシート２６、および浴室１０の仕上げ壁となる仕上げ部材２４を含む浴室の壁部材とを備えて構成されている。
具体的には、防水パン３０は、四角枠状の外枠材８０の内側に固定され、該防水パン３０の外縁周囲には、室外側に延出する水平部３０Ｂが設けられている。防水シート２２は、室内側および室外側の両面に粘着剤を塗布した粘着部２２Ａ、２２Ｂを備えており、室内側粘着部２２Ａにて防水シート２２の下端が防水パン３０の水平部３０Ｂに接着固定される。なお、外枠材８０、防水パン３０および防水シート２２は、予め工場等にて上記のように一体化されて浴室床パネル１１を形成し、建築現場に搬送される。
【０００４】
そして、建築現場にて、一体化された外枠材８０、防水パン３０および防水シート２２を浴室１０に建物の床を形成する床パネル６０に当接するように、基礎土台５０に載置し、基礎土台５０から立設されるボルト（図示省略）を外枠材８０の貫通穴（図示省略）に貫通させ、さらに、浴室１０の周囲に立設される壁パネル７０を貫通させた後、ナット（図示省略）にて締め付けることにより、基礎土台５０に対して床パネル６０、浴室１０の床面を形成する防水パン２２、および壁パネル７０を固定している。
【０００５】
さらに、浴室床パネル１１を建物躯体に固定した後、下地材２１を、防水パン３０の水平部３０Ｂに接着固定された防水シート２２の上面に載置する。次に、防水シート２２を下地材２１角部にて略直角に屈曲し、水平部３０Ｂの室内側の端部から下地材２１の室内側の表面に延長させ、室外側粘着部２２Ｂにてしわ、たるみがないように接着固定する。そして、防水シート２２の室内側粘着部２２Ａにバスシート１５および浴室１０の仕上げ壁となる仕上げ部材２４を貼り付けて、浴室１０の床部防水構造を形成する。
【０００６】
【発明が解決しようとする課題】
しかしながら、従来の構造では、防水シートは、該防水シートの下端室内側を防水パンの水平部に接着固定し、この接着固定された防水シートの下端上面に載置された下地材角部で略直角に屈曲させて立ち上げているので、防水シートの自由端側を、防水パンの外縁から引き離す方向に引っ張って下地材に貼り付ける際に、防水シートの屈曲部が破損しないように、貼付作業を十分慎重に行わなければならず、手間がかかっていた。
また、防水シートは、室内側の面が防水パンの水平部に貼り付けられ、室外側の面が下地材に貼り付けられるので、防水シートは、両面に粘着部を必要とし、防水シートの取り扱いが煩雑なものになるとともに、防水シートの貼付作業も煩雑なものになるという問題があった。
【０００７】
本発明の目的は、浴室の組立を簡易化し、防水処理の向上を図った浴室の床部防水構造を提供することにある。
【０００８】
【課題を解決するための手段】
本発明の浴室の床部防水構造は、図面を参照して説明すると、浴室１０の床面を形成する防水パン３０と、浴室１０の壁を形成する下地材２１、該下地材２１への防水を行う防水シート２２、および浴室１０の仕上げ壁となる仕上げ部材２４とを含んで構成される浴室１０壁面を防水接続する浴室１０の床部防水構造であって、前記防水パン３０は、該防水パン３０の辺縁立ち上がり部３３に、防水シート２２が接着される防水シート接着面３６と、前記仕上げ部材２４が当接される仕上げ部材当接面３５とを備え、防水シート接着面３６は、仕上げ部材当接面３５から防水シート２２の厚み分室外側に位置され、前記防水シート２２は、前記防水パン３０および前記下地材２１上にて、略平坦に連続した面を形成するように接着されることを特徴とするものである。
【０００９】
このような本発明において、防水パンは、辺縁立ち上がり部に、防水シートが接着される防水シート接着面と、仕上げ部材が当接される仕上げ部材当接面とを備えているので、下地材への水の浸入を防ぐ目的として使用される防水シートは、防水パンおよび下地材上に、屈曲部のない略平坦に連続した面を形成するように貼り付けることができる。
したがって、防水シートの防水パンに接着されていない自由端を防水パンの外縁から引き離す方向に引っ張って下地材に貼り付ける場合でも、従来の屈曲部による防水シートの破損を気にすることなく、貼り付けることができ、貼付作業を容易に行えるとともに、浴室の防水処理を向上できる。また、防水シートの防水パンに接着される接着面と、下地材に接着される接着面は同一面上にあるため、防水シートには、片面に粘着部を形成すればよく、従来の防水シートの取り扱いおよび貼付作業の煩雑さを改善することができ、本発明の目的が達成される。
【００１０】
また、防水シート接着面が仕上げ部材当接面から防水シートの厚み分室外側に位置しているので、防水シートを防水パンの防水シート接着面に接着した後に、仕上げ部材を防水シートの室内側の面に当接させた際に、仕上げ部材と防水パンとの間には隙間がなく、仕上げ部材を仕上げ部材当接面に密着させることができ、防水シートへの水の浸入を抑え、防水性を向上させることができる。また、防水シートの下端部が水に浸かった状態となることもない。したがって、下地材に水が浸入することを抑えることができ、防水性の向上に繋がる。
【００１１】
さらに、防水パン３０は、仕上げ部材当接面３５の下端部に、該仕上げ部材２４の下端を載置可能な仕上げ部材支持部３７が設けられていることが望ましい。
このような構成では、防水パンの仕上げ部材当接面の下端部に、仕上げ部材の下端を載置可能な仕上げ部材支持部が設けられているので、仕上げ部材支持部が、仕上げ部材の荷重を担保し、仕上げ部材を防水パンの辺縁立ち上げ部に載置することができる。
【００１２】
さらにまた、防水パン３０は、防水シート接着面３６の上端部に、下地材２１の下端を載置可能な下地材支持部３８が設けられていることが望ましい。
このような構成では、防水パンの防水シート接着面の上端部に、下地材の下端を載置可能な下地材支持部が設けられているので、下地材支持部が、下地材の荷重を担保し、下地材を防水パンの辺縁立ち上げ部に載置することができ、防水シートと下地材とを隙間なく接着することができる。
【００１３】
また、下地材支持部３８は、室外側に水平に延出して形成されていることが望ましい。
このような構成では、下地材支持部が、防水シート接着面の上端部に室外側に水平に延出して形成されているので、下地材の荷重が大きくても下地材支持部の面を広く形成することで、下地材をしっかりと支持することができる。
【００１４】
また、前記下地材２１と前記仕上げ部材２４との間には、防湿シート２３を備え、該防湿シート２３の下端部は、前記防水シート２２の室内側に接着されることが望ましい。
このような構成では、下地材と仕上げ部材との間に、防湿シートを備えているので、浴室内と下地材との間での湿気の流通を防ぎ、結露を防止することができる。また、下地材と仕上げ部材との間に、防水シートと防湿シートを備えているので、防水および防湿の両面から、浴室内にて発生する水滴や水蒸気などの水分が壁部材に悪影響を与えないようにすることができる。
【００１５】
【発明の実施の形態】
以下、本発明の一実施形態を図面に基づいて説明する。
本実施形態は、防水シートを用いて構成された浴室の床部防水構造である。
本実施形態に係る浴室１０は、図１に示すように、箱状に形成され、浴室１０の床面を形成する防水パン３０と、防水パン３０の周縁に立設される複数枚の壁部材２０と、この壁部材２０上に取り付けられた天井部材（図示省略）とから構成されている。
【００１６】
浴室１０の床面を形成する防水パン３０は、図２に示すように、例えば、繊維強化プラスチック（ＦＲＰ）から形成され、浴槽を形成する浴槽床部３１と、この浴槽に隣接し、洗い場となる洗い場床部３２とを備えて構成されている。
浴槽床部３１は、矩形状の床面からその端部に沿って延出した辺縁立ち上がり部３３を備えて箱状に形成され、辺縁立ち上がり部３３のうち洗い場に隣接する辺縁立ち上がり部３３は、他の辺縁立ち上がり部３３よりも低く、その上端部は、断面略コ字状に屈曲させて形成されている。また、矩形状の床面には、排水口（図示省略）が設けられ、浴槽床部に溜まった水を外部に排出できるようになっている。
【００１７】
洗い場床部３２は、浴槽床部と同様に、矩形状の床面からその端部に沿って延出した辺縁立ち上がり部３３を備えて箱状に形成され、辺縁立ち上がり部３３のうち浴槽に隣接する辺縁立ち上がり部３３は、他の辺縁立ち上がり部３３よりも高く、その上端部は、断面略Ｌ字状に屈曲させて形成されている。また、洗い場の周縁部分には、洗い場の水を排水口に導くための溝（図示省略）が形成されている。
この際、浴槽床部３１と洗い場床部３２とは、図３に示すように、浴槽床部の断面略コ字状に形成された辺縁立ち上がり部３３と、洗い場床部３２の断面略Ｌ字状に形成された辺縁立ち上がり部３３とを当接させて浴槽の仕切り部３４を形成し、建物躯体に固定される矩形板状体の防水パン支持部４０にそれぞれ脚部４１を介して固定することで、浴室１０の床面は形成される。
【００１８】
このような防水パン３０で構成される浴室１０の床面の建物躯体への固定構造として、図３に示すように、本実施形態の浴室１０を固定すべき建物躯体は、基礎土台５０に調整金具５１を介して載置固定されるとともに、建物の床を形成する床パネル６０と、部屋の周囲に立設される壁パネル７０とを備えて形成される。
床パネル６０は、上端角部にその辺縁に沿って断面Ｌ字状に形成された受け材６１が固定されているとともに、この受け材６１を補強する断面Ｌ字状の補強部材６２が固定されている。この受け材６１は、浴室床面を形成する防水パンを支持する防水パン支持部４０の端縁に沿って固定された断面略Ｌ字状の受け材４２を支持することで、浴室１０床面を建物躯体に対して固定するようになっている。
また、浴室１０の床面を形成する防水パン３０の洗い場床部３２上面の高さは、浴室１０の出入り口となる部屋の床面を形成する床パネル６０の上面の高さと略同一としている。
【００１９】
壁部材２０は、図１ないしは図３に示すように、積層構造を有し、浴室１０室内側に露出する仕上げ部材２４と、この仕上げ部材２４の外面に貼設された石膏ボード２１と、これら仕上げ部材２４と石膏ボード２１との間に、浴室１０内から石膏ボード２１への水密性を確保するための防水シート２２および防湿シート２３を備えて構成されている。
ここで、仕上げ部材２４は、ウッドパウダーを熱可塑成形した木質材で形成されており、仕上げ部材２４の下端は、浴室の床面を形成する防水パン３０の床面近傍まで延長して固定されている。また、防水パン３０の浴槽床部３１の辺縁立ち上がり部３３と交差して配置される仕上げ部材２４は、図２に示すように、切り欠き部２５が形成され、浴室１０の組立の際に、浴槽の仕切り部３４に対して切り欠き部２５を嵌合して配置できるようになっている。さらに、図３に示すように、浴槽の仕切り部３４を形成する、洗い場床部３２の浴室１０内側端面にも、仕上げ部材２４は接着固定され、壁面と一体感を与えている。なお、仕上げ部材２４は、上記ウッドパウダーを熱可塑成形した木質材に限らず、タイル等で形成されてもよい。
また、防水シート２２および防湿シート２３は、仕上げ部材２４と下地材２１との間に位置し、浴室１０室外側だけに粘着剤が塗布され、それぞれ粘着部２２Ａ、２３Ａを備え、防水シート２２上端部の浴室１０室内側端面に防湿シート２３下端部の浴室１０室外側端面を重ねて貼り付けられている。
【００２０】
天井部材（図示省略）は、複数の接合治具によって壁部材２０に取り付けられている。なお、天井部材の構造は、壁部材と同様に積層構造を有している。
【００２１】
そして、浴室１０内から建物躯体への防水構造として、壁部材２０の積層構造に対応して、防水パン３０の外縁周囲の辺縁立ち上げ部３３には、図４または図５に示すように、仕上げ部材２４が当接される仕上げ部材当接面３５と、防水シート２２が接着固定される防水シート接着面３６とを備えている。この際、防水シート接着面３６は、仕上げ部材当接面３５よりも防水シート２２の厚み分、室外側に形成されている。また、仕上げ部材当接面３５の下端部には、仕上げ部材２４を支持するための仕上げ部材支持部３７が形成され、防水シート接着面３６の上端部には、室外側に水平に延出して石膏ボード２１を支持するための下地材支持部３８が形成されている。
【００２２】
ここで、浴槽床部３２における防水構造としては、図４に示すように、防水シート接着面３６は、浴槽内に溜まった水が仕上げ部材２４下端部から浸入した際に、防水シート２２下端部が水に浸かることを防ぐために、仕上げ部材支持部３７より上方に位置し、防水シート接着面３６の下端部の高さは、浴槽の仕切り部３４の高さと略同一としている。また、防水シート２２は、仕上げ部材２４下端部から浸入した水が毛管現象等により上方に浸入してもよいように、防水シート接着面３６から十分上方まで延長して石膏ボード２１に貼り付けられており、さらに、防水シート２２上端部の室内側には、防湿シート２３が貼り付けられ、防水シート２２上端部と防湿シート２３下端部とが重なった状態で、建物躯体への水の浸入を防いでいる。
【００２３】
一方、洗い場床部３２における防水構造としては、図５に示すように、防水シート接着面３６は、仕上げ部材支持部３７より上方に位置しているが、浴槽の仕切り部３４の高さより低い位置に設定され、全体として洗い場床部３２の浴槽の仕切り部３４を除く、辺縁立ち上がり部３３は、低く形成されている。これは、洗い場床部３２側面に設置される浴室の出入り口（図示省略）下部の防水処理を行うためにこのような構造としている。具体的には、浴室出入り口が設置される壁に立設して接着固定される防水シート２２の浴室出入り口両端側に切り込みを入れ、浴室出入り口に接する防水シート２２を浴室１０と反対側、すなわち洗面脱衣室側に向かって折り返して浴室出入り口下部を覆う。これにより、浴室出入り口下部の防水性を担保することができる。
【００２４】
したがって、上記のような浴室１０の床部防水構造を持つ浴室１０の取付手順としては、先ず、予め工場において、防水パン３０の浴槽床部３１および洗い場床部３２を浴槽の仕切り部３４を形成するように固定し、さらに、仕上げ部材２４を浴槽の仕切り部３４を形成する洗い場床部３２の辺縁立ち上がり部３３の浴室１０室内側端面に接着固定する。また、防水シート２２を浴槽床部３１に形成された防水シート接着面３６に接着固定するとともに、洗い場床部３２に形成された防水シート接着面３６に接着固定する。さらに、一体化された防水パン３０を防水パン支持部４０に脚部４１を介して載置固定した状態で、建築現場へと搬送する。この際、防水シート２２は、防水パン３０の防水シート接着面３６に接着固定された状態で、接着固定されていない自由端側を折り畳んで、防水パン３０の内側に収容して、建築現場へと搬送する。このように、防水シート２２を防水パン３０の内側に折り畳んで搬送することで、搬送時の防水シート２２の破損を抑えることができる。
【００２５】
次に、搬送された浴室１０床面を、浴室１０部分に、防水パン支持部材４０に固定された受け材４２を床パネルに固定された受け材６１に載置するように設置することにより、基礎土台５０に対して床パネル６０、浴室１０の床面を形成する防水パン３０、および壁パネル７０が固定される。
【００２６】
次に、防水パン３０の下地材支持部３８に石膏ボード２１を立設させた後、折り畳まれた防水シート２２を防水シート接着面３６から引き離す方向に立設させて、立設した防水シート２２の粘着部２２Ａを石膏ボード２１の浴室１０内側の表面に貼付する。その際、防水シート２２は、浴室１０の石膏ボード２１により形成された入隅コーナー側より順に貼り付けることにより、表面にしわができずにきれいに貼ることができる。このように貼り付けることで、防水シート２２は、屈曲せずに略平坦に連続して貼り付けることができる。また、浴室出入り口が設置される壁に立設して接着固定される防水シート２２の浴室出入り口両端側に切り込みを入れ、浴室出入り口に接する防水シート２２を浴室１０と反対側、すなわち洗面脱衣室側に向かって折り返して浴室出入り口下部を覆う。これにより、浴室出入り口下部の防水性を担保することができる。
さらに、防湿シート２３の粘着部２３Ａを、防水シート２２上端部に重なるように貼り付けるとともに、石膏ボード２１の浴室１０内側の表面に貼付する。
【００２７】
次に、防水シート２２および防湿シート２３を石膏ボード２１の浴室１０内側の表面に貼付した後、仕上げ部材２４を、防水パン３０の仕上げ部材支持部３７に載置するとともに、仕上げ部材当接面３５に当接させるように立設させ、防水シート２２および防湿シート２３の浴室１０内側の表面に貼り付ける。この際、浴槽の仕切り部３４と交差する面に配置される仕上げ部材２４は、仕上げ部材２４に形成された切り欠き部２５を仕切り部３４に嵌合させて配置し、防水シート２２および防湿シート２３の浴室１０内側の表面に貼り付ける。
【００２８】
そして、天井部材（図示省略）を複数の接合治具により壁部材２０に取り付けることにより、浴室１０の取付作業が終了する。
【００２９】
以上のような本実施形態によれば、以下のような効果がある。
(1)   防水パン３０は、辺縁立ち上がり部３３に、防水シート２２が接着される防水シート接着面３６と、仕上げ部材２４が当接される仕上げ部材当接面３５とが形成されているので、建物躯体への水の浸入を防ぐ目的として使用される防水シート２２は、屈曲部のない略平坦に連続した面を形成するように貼り付けることができる。したがって、折り畳まれた防水シート２２の自由端を防水パン３０の防水シート接着面３６から引き離す方向に引っ張って石膏ボード２１に貼り付ける際、従来のように防水シート２２の屈曲部によって生じる破損を気にすることなく、貼り付けることができ、貼付作業を容易に行えるとともに、浴室の防水処理を向上できる。
【００３０】
(2)   仕上げ部材当接面３５の下端部には、仕上げ部材２４を支持するための仕上げ部材支持部３７が形成され、防水シート接着面３６の上端部には、室外側に水平に延出して石膏ボード２１を支持するための下地材支持部３８が形成されていることにより、仕上げ部材支持部３７および下地材支持部３８が、それぞれ仕上げ部材２４および下地材２１の荷重を担保し、仕上げ部材２４および下地材２１を防水パン３０の辺縁立ち上げ部３３に載置することができる。
(3)   防水シート２２の防水パン３０に接着される接着面と、石膏ボード２１に接着される接着面は同一面上にあるため、防水シート２２には、片面に粘着部２２Ａを形成すればよく、従来の両面に粘着部が形成された防水シートの取り扱いおよび貼付作業の煩雑さを改善することができる。
【００３１】
(4)   防水パン３０の浴槽床部３１の防水シート接着面３６は、仕上げ部材支持部３７より上方に位置し、防水シート接着面３６の下端部の高さは、浴槽の仕切り部３４の高さと略同一としていることにより、浴槽に溜まった水が仕上げ部材２４下端部から浸入しても、防水シート２２下端部が水に浸かることはなく、建物躯体への防水処理を向上させている。
(5)   防水シート２２は、防水シート接着面３６から十分上方まで延長して石膏ボード２１に貼り付けられていることにより、毛管現象等により仕上げ部材２４下端部より浸入した水が上方で建物躯体へと浸入することを防ぎ、建物躯体への防水処理をさらに向上させている。
【００３２】
(6)  防水シート２２上端部の室内側には、防湿シート２３が貼り付けられ、防水シート２２上端部と防湿シート２３下端部とが重なった状態で貼り付けられていることにより、浴室１０と石膏ボード２１との間での湿気の流通を防ぎ、結露を防止することができる。また、浴室１０内にて発生した水滴や水蒸気などの水分が建物躯体に悪影響を与えないようにすることができる。
(7)  防水パン３０には、浴槽を形成する浴槽床部３１を有していることにより、従来のように、別途浴槽を防水パン上に載置する必要がなく、コスト削減に繋がるとともに、浴室の組立作業の作業効率向上に繋がる。
【００３３】
(8)   浴室１０の床面を形成する防水パン３０の洗い場床部３２の上面の高さは、浴室の出入り口となる部屋の床面を形成する床パネル６０の上面の高さと略同一としていることにより、浴室の出入り口下部の仕切りの高さを低くし、浴室の出入りにおける移動をスムーズなものにすることができる。
【００３４】
なお、本発明は、前記実施の形態に限定されるものではなく、本発明の目的を達成できる範囲での変形、改良等は本発明に含まれるものである。
例えば、前記実施形態では、浴室の仕上げ壁となる仕上げ部材２４は、防水パン３０に形成された仕上げ部材支持部３７に立設するように載置されている場合を説明したが、この仕上げ部材２４の載置は、図６に示すように、防水パン３０の洗い場床部３２において、仕上げ部材２４が排水溝３９に立設するように載置する構成、つまり、洗い場床部３２において、仕上げ部材支持部３７を形成しないような構成でもよい。
また、前記実施形態では、石膏ボード２１は、防水パン３０の防水シート接着面３６上端部が室外側に水平に延出して形成された下地材支持部３８に立設するように載置されている場合を説明したが、この下地材支持部３８は、図６に示すように、室外側に延出しない構成でもよい。
【００３５】
【発明の効果】
請求項１に記載の発明によれば、防水パンは、辺縁立ち上がり部に、防水シートが接着される防水シート接着面と、仕上げ部材が当接される仕上げ部材当接面とを備えているので、下地材への水の浸入を防ぐ目的として使用される防水シートは、防水パンおよび下地材上に、屈曲部のない略平坦に連続した面を形成するように貼り付けることができるという効果がある。
したがって、防水シートの防水パンに接着されていない自由端を防水パンの外縁から引き離す方向に引っ張って下地材に貼り付ける場合でも、屈曲部による防水シートの破損を気にすることなく、貼り付けることができ、貼付作業を容易に行えるとともに、浴室の防水処理を向上できるという効果がある。
また、防水シートの防水パンに接着される接着面と、下地材に接着される接着面は同一面上にあるため、防水シートには、片面に粘着部を形成すればよく、従来の防水シートの取り扱いおよび貼付作業の煩雑さを改善することができるという効果がある。
【００３６】
請求項２に記載の発明によれば、防水シート接着面が仕上げ部材当接面から防水シートの厚み分室外側に位置しているので、防水シートを防水パンの防水シート接着面に接着した後に、仕上げ部材を防水シートの室内側の面に当接させた際に、仕上げ部材と防水パンとの間には隙間がなく、仕上げ部材を仕上げ部材当接面に密着させることができ、防水シートへの水の浸入を抑え、防水性を向上させることができるという効果がある。
また、防水シートの下端部が水に浸かった状態となることもなく、壁部材に水が浸入することを抑えることができ、防水性の向上に繋がるという効果がある。
【００３７】
請求項３に記載の発明によれば、防水パンの仕上げ部材当接面の下端部に、仕上げ部材の下端を載置可能な仕上げ部材支持部が設けられているので、仕上げ部材支持部が、仕上げ部材の荷重を担保し、仕上げ部材を防水パンの辺縁立ち上げ部に載置することができるという効果がある。
【００３８】
請求項４に記載の発明によれば、防水パンの防水シート接着面の上端部に、壁部材の下端を載置可能な壁部材支持部が設けられているので、壁部材支持部が、壁部材の荷重を担保し、壁部材を防水パンの辺縁立ち上げ部に載置することができ、防水シートと壁部材とを隙間なく接着することができるという効果がある。
【００３９】
請求項５に記載の発明によれば、壁部材支持部が、防水シート接着面の上端部に室外側に水平に延出して形成されているので、壁部材の荷重が高くても壁部材支持部の面を広く形成することで、壁部材をしっかりと支持することができるという効果がある。
【００４０】
請求項６に記載の発明によれば、壁部材と仕上げ部材との間に、防湿シートを備えているので、浴室と壁部材との間での湿気の流通を防ぎ、結露を防止することができるという効果がある。
また、壁部材と仕上げ部材との間に、防水シートと防湿シートを備えているので、防水および防湿の両面から、浴室内にて発生する水滴や水蒸気などの水分が壁部材に悪影響を与えないようにすることができるという効果がある。
【図面の簡単な説明】
【図１】本発明の一実施形態に係る浴室を上方から見た全体斜視図である。
【図２】本発明の一実施形態に係る浴室の分解斜視図である。
【図３】本発明の一実施形態に係る浴室の床部防水構造を表す縦断面図である。
【図４】図１におけるIV−IV線断面図である。
【図５】図１におけるＶ−Ｖ線断面図である。
【図６】本発明の変形例を示す図である。
【図７】従来の浴室の床部防水構造を示す、浴室床パネルの縦断面図である。
【図８】従来の浴室の床部防水構造を示す、浴室床パネルの分解断面図である。
【符号の説明】
１０  浴室
２１  下地材である石膏ボード
２２  防水シート
２３  防湿シート
２４  仕上げ部材
３０  防水パン
３５  仕上げ部材当接面
３６  防水シート接着面
３７  仕上げ部材支持部
３８  下地材支持部
【図１】
0004007793.tif 000002
【図２】
0004007793.tif 000003
【図３】
0004007793.tif 000004
【図４】
0004007793.tif 000005
【図５】
0004007793.tif 000006
【図６】
0004007793.tif 000007
【図７】
0004007793.tif 000008
【図８】
0004007793.tif 000009